(57)【要約】【課題】放送中又は過去に放送された複数のコンテンツを一意に識別することが可能なコンテンツ受信装置を得る。【解決手段】コンテンツ受信装置６は、放送中又は過去に放送された複数のコンテンツの中から、所望のコンテンツの指定を受け付ける受付部２１と、所望のコンテンツに関するチャンネル識別情報及び放送時刻情報を含むアドレス要求信号を、コンテンツ管理装置４に送信する要求送信処理部２４と、アドレス要求信号に応答してコンテンツ管理装置４から送信された、所望のコンテンツに関するユニキャストアドレスを含む再生制御情報を受信するアドレス受信処理部２５と、当該ユニキャストアドレスを含む映像要求信号をユニキャスト配信サーバ２に送信するアドレス送信処理部２６と、映像要求信号に応答してユニキャスト配信サーバ２から送信された、所望のコンテンツに関する映像ストリームを受信する映像受信処理部２７とを備える。【選択図】図３
2012249230.tif 000002
【特許請求の範囲】
【請求項１】
放送中又は過去に放送された複数のコンテンツの中から指定された所望のコンテンツに関するチャンネル識別情報及び放送時刻情報を含む要求信号に応答してコンテンツ管理装置から送信された、前記所望のコンテンツに関するアドレス情報を受信するアドレス受信手段と、
前記アドレス情報を所定のコンテンツ配信サーバに送信するアドレス送信手段と、
前記アドレス情報に応答して前記コンテンツ配信サーバから送信された、前記所望のコンテンツに関する映像ストリームを受信する映像受信手段と、
を備える、コンテンツ受信装置。
【請求項２】
前記要求信号には、前記所望のコンテンツに関する番組識別情報がさらに含まれる、請求項１に記載のコンテンツ受信装置。
【請求項３】
前記複数のコンテンツの各々に関するチャンネル識別情報及び放送時刻情報を取得する取得手段
をさらに備える、請求項１又は２に記載のコンテンツ受信装置。
【請求項４】
前記取得手段は、前記複数のコンテンツの各々に関するチャンネル識別情報及び放送時刻情報を、ＳＩ（Service Information）専用ＴＳ（Transport Stream）から取得する、請求項３に記載のコンテンツ受信装置。
【請求項５】
前記取得手段は、前記複数のコンテンツの各々に関するチャンネル識別情報及び放送時刻情報を、所定の管理サーバから取得する、請求項３に記載のコンテンツ受信装置。
【請求項６】
前記複数のコンテンツのうち、指定可能なコンテンツの一覧を電子番組表の形式で表示する表示手段
をさらに備える、請求項１〜５のいずれか一つに記載のコンテンツ受信装置。
【請求項７】
放送中又は過去に放送された複数のコンテンツの各々に関する、アドレス情報とチャンネル識別情報及び放送時刻情報との対応関係を記述したデータテーブルを保持する保持手段と、
所望のコンテンツに関するチャンネル識別情報及び放送時刻情報を含む要求信号を受信する要求受信手段と、
前記データテーブルに基づいて、前記要求信号に含まれるチャンネル識別情報及び放送時刻情報に対応するアドレス情報を特定し、特定した当該アドレス情報を所定のコンテンツ受信装置に送信するアドレス送信手段と、
を備える、コンテンツ管理装置。
【請求項８】
放送中又は過去に放送された複数のコンテンツの中から、所望のコンテンツの指定を受け付ける受付手段と、
前記所望のコンテンツに関するチャンネル識別情報及び放送時刻情報を含む要求信号を送信する要求送信手段と、
前記所望のコンテンツに関する前記要求信号を前記要求送信手段から受信する要求受信手段と、
前記複数のコンテンツの各々に関する、アドレス情報とチャンネル識別情報及び放送時刻情報との対応関係を記述したデータテーブルを保持する保持手段と、
前記データテーブルに基づいて、前記要求信号に含まれるチャンネル識別情報及び放送時刻情報に対応するアドレス情報を特定し、特定した当該アドレス情報を所定のコンテンツ受信装置に送信するアドレス送信手段と、
前記アドレス情報を前記アドレス送信手段から受信するアドレス受信手段と、
前記アドレス情報を所定のコンテンツ配信サーバに送信するアドレス送信手段と、
前記アドレス情報に応答して前記コンテンツ配信サーバから送信された、前記所望のコンテンツに関する映像ストリームを受信する映像受信手段と、
を備える、コンテンツ配信システム。
【請求項９】
コンテンツ受信装置に搭載されるコンピュータを、
放送中又は過去に放送された複数のコンテンツの中から指定された所望のコンテンツに関するチャンネル識別情報及び放送時刻情報を含む要求信号に応答して前記コンテンツ管理装置から送信された、前記所望のコンテンツに関するアドレス情報を受信するアドレス受信手段と、
前記アドレス情報を所定のコンテンツ配信サーバに送信するアドレス送信手段と、
前記アドレス情報に応答して前記コンテンツ配信サーバから送信された、前記所望のコンテンツに関する映像ストリームを受信する映像受信手段と、
として機能させるための、プログラム。
【請求項１０】
コンテンツ管理装置に搭載されるコンピュータを、
放送中又は過去に放送された複数のコンテンツの各々に関する、アドレス情報とチャンネル識別情報及び放送時刻情報との対応関係を記述したデータテーブルを保持する保持手段と、
所望のコンテンツに関するチャンネル識別情報及び放送時刻情報を含む要求信号を受信する要求受信手段と、
前記データテーブルに基づいて、前記要求信号に含まれるチャンネル識別情報及び放送時刻情報に対応するアドレス情報を特定し、特定した当該アドレス情報を所定のコンテンツ受信装置に送信するアドレス送信手段と、
として機能させるための、プログラム。
【発明の詳細な説明】
【技術分野】
【０００１】
本発明は、コンテンツ受信装置、コンテンツ管理装置、コンテンツ配信システム、及びプログラムに関する。
【背景技術】
【０００２】
近年における通信技術の進展に伴い、地上デジタル放送やＢＳデジタル放送等のコンテンツをＩＰネットワークを介して配信するＩＰ再送信サービスが普及しつつある。ＩＰ再送信サービスでは、番組検索等の際におけるユーザの利便性を向上すべく、放送中及び放送予定のコンテンツに関する番組情報が、コンテンツ配信装置からネットワークを介してコンテンツ受信装置に送信される。コンテンツ受信装置は、ネットワークから受信したトランスポートストリームに含まれているＥＩＴ（Event Information Table）等の各種のＳＩ（Service Information）に基づいて、番組情報を取得する。
【０００３】
なお、地上デジタル放送に関する運用規定が、例えば下記非特許文献１に開示されている。
【先行技術文献】
【非特許文献】
【０００４】
【非特許文献１】地上デジタルテレビジョン放送  技術資料  ＡＲＩＢ  ＴＲ−Ｂ１４  ３．９版、第四編（ＰＳＩ／ＳＩ運用規定）、社団法人電波産業会、平成２１年７月
【発明の概要】
【発明が解決しようとする課題】
【０００５】
視聴したいコンテンツの放送がユーザの帰宅時にすでに開始されている場合等において、そのコンテンツを途中からではなく先頭から視聴したいというユーザの要望がある。また、録画し忘れた過去のコンテンツを遡って視聴したいというユーザの要望もある。これを実現するためには、放送中又は過去に放送された複数のコンテンツを一意に識別する必要があるが、そのための手法として、ＥＩＴに含まれている番組識別情報を用いてコンテンツを識別する方法が考えられる。しかし、番組識別情報の個数は有限であるため、過去に放送されたあるコンテンツに対して使用された番組識別情報が、放送中又は放送予定の別のコンテンツに対しても使用されることがある。従って、番組識別情報のみによっては、放送中又は過去に放送された複数のコンテンツを一意に識別することは困難である。
【０００６】
本発明はかかる事情に鑑みて成されたものであり、放送中又は過去に放送された複数のコンテンツを一意に識別することが可能な、コンテンツ受信装置、コンテンツ管理装置、コンテンツ配信システム、及びプログラムを得ることを目的とする。
【課題を解決するための手段】
【０００７】
本発明の第１の態様に係るコンテンツ受信装置は、放送中又は過去に放送された複数のコンテンツの中から指定された所望のコンテンツに関するチャンネル識別情報及び放送時刻情報を含む要求信号に応答してコンテンツ管理装置から送信された、前記所望のコンテンツに関するアドレス情報を受信するアドレス受信手段と、前記アドレス情報を所定のコンテンツ配信サーバに送信するアドレス送信手段と、前記アドレス情報に応答して前記コンテンツ配信サーバから送信された、前記所望のコンテンツに関する映像ストリームを受信する映像受信手段と、を備えることを特徴とするものである。
【０００８】
第１の態様に係るコンテンツ受信装置によれば、放送中又は過去に放送された複数のコンテンツの中から所望のコンテンツの指定が受け付けられ、その所望のコンテンツに関するチャンネル識別情報及び放送時刻情報を含む要求信号が、所定のコンテンツ管理装置に送信される。放送中のコンテンツに関しては放送開始時刻が確定しており、過去に放送されたコンテンツに関しては放送開始時刻及び放送終了時刻が確定している。従って、チャンネル識別情報と放送時刻情報とを用いることによって、放送中又は過去に放送された複数のコンテンツの各々を一意に識別することが可能となる。
【０００９】
本発明の第２の態様に係るコンテンツ受信装置は、第１の態様に係るコンテンツ受信装置において特に、前記要求信号には、前記所望のコンテンツに関するチャンネル識別情報及び放送時刻情報に加えて、番組識別情報がさらに含まれることを特徴とするものである。
【００１０】
第２の態様に係るコンテンツ受信装置によれば、要求信号には、所望のコンテンツに関するチャンネル識別情報及び放送時刻情報に加えて、当該コンテンツに関する番組識別情報が含まれる。このようにチャンネル識別情報と放送時刻情報と番組識別情報とを用いることによって、放送中又は過去に放送された複数のコンテンツの各々を確実に一意に識別することが可能となる。
【００１１】
本発明の第３の態様に係るコンテンツ受信装置は、第１又は第２の態様に係るコンテンツ受信装置において特に、前記複数のコンテンツの各々に関するチャンネル識別情報及び放送時刻情報を取得する取得手段をさらに備えることを特徴とするものである。
【００１２】
第３の態様に係るコンテンツ受信装置によれば、取得手段は、複数のコンテンツの各々に関するチャンネル識別情報及び放送時刻情報を取得する。このように取得手段がチャンネル識別情報及び放送時刻情報を取得することにより、要求送信手段によってチャンネル識別情報及び放送時刻情報を含む要求信号を作成することが可能となる。
【００１３】
本発明の第４の態様に係るコンテンツ受信装置は、第３の態様に係るコンテンツ受信装置において特に、前記取得手段は、前記複数のコンテンツの各々に関するチャンネル識別情報及び放送時刻情報を、ＳＩ専用ＴＳから取得することを特徴とするものである。
【００１４】
第４の態様に係るコンテンツ受信装置によれば、取得手段は、複数のコンテンツの各々に関するチャンネル識別情報及び放送時刻情報を、ＳＩ専用ＴＳから取得する。ＳＩ専用ＴＳには、視聴中のコンテンツに関するチャンネル識別情報及び放送時刻情報のみならず、視聴していない他のコンテンツに関するチャンネル識別情報及び放送時刻情報も含まれている。従って、これらの情報をＳＩ専用ＴＳから取得することにより、放送中又は過去に放送された全チャンネルのコンテンツに関するチャンネル識別情報及び放送時刻情報を取得することが可能となる。
【００１５】
本発明の第５の態様に係るコンテンツ受信装置は、第３の態様に係るコンテンツ受信装置において特に、前記取得手段は、前記複数のコンテンツの各々に関するチャンネル識別情報及び放送時刻情報を、所定の管理サーバから取得することを特徴とするものである。
【００１６】
第５の態様に係るコンテンツ受信装置によれば、取得手段は、複数のコンテンツの各々に関するチャンネル識別情報及び放送時刻情報を、所定の管理サーバから取得する。従って、コンテンツ受信装置の電源が長期間オフされていたことにより、その期間内におけるチャンネル識別情報及び放送時刻情報をＳＩ専用ＴＳから取得できていない場合等であっても、これらの情報を管理サーバから取得することが可能となる。
【００１７】
本発明の第６の態様に係るコンテンツ受信装置は、第１〜第５のいずれか一つの態様に係るコンテンツ受信装置において特に、前記複数のコンテンツのうち、指定可能なコンテンツの一覧を電子番組表の形式で表示する表示手段をさらに備えることを特徴とするものである。
【００１８】
第６の態様に係るコンテンツ受信装置によれば、表示手段は、放送中又は過去に放送された複数のコンテンツのうち指定可能なコンテンツの一覧を電子番組表の形式で表示する。従って、コンテンツの指定に伴うユーザの利便性を向上することが可能となる。
【００１９】
本発明の第７の態様に係るコンテンツ管理装置は、放送中又は過去に放送された複数のコンテンツの各々に関する、アドレス情報とチャンネル識別情報及び放送時刻情報との対応関係を記述したデータテーブルを保持する保持手段と、所望のコンテンツに関するチャンネル識別情報及び放送時刻情報を含む要求信号を受信する要求受信手段と、前記データテーブルに基づいて、前記要求信号に含まれるチャンネル識別情報及び放送時刻情報に対応するアドレス情報を特定し、特定した当該アドレス情報を所定のコンテンツ受信装置に送信するアドレス送信手段と、を備えることを特徴とするものである。
【００２０】
第７の態様に係るコンテンツ管理装置によれば、保持手段は、放送中又は過去に放送された複数のコンテンツの各々に関する、アドレス情報とチャンネル識別情報及び放送時刻情報との対応関係を記述したデータテーブルを保持する。そして、要求受信手段は、所定のコンテンツ受信装置から送信された、所望のコンテンツに関するチャンネル識別情報及び放送時刻情報を含む要求信号を受信し、アドレス送信手段は、保持手段が保持しているデータテーブルに基づいて、要求信号に含まれるチャンネル識別情報及び放送時刻情報に対応するアドレス情報を特定し、特定した当該アドレス情報をコンテンツ受信装置に送信する。放送中のコンテンツに関しては放送開始時刻が確定しており、過去に放送されたコンテンツに関しては放送開始時刻及び放送終了時刻が確定している。従って、チャンネル識別情報と放送時刻情報とを用いることによって、放送中又は過去に放送された複数のコンテンツの各々を一意に識別することが可能となる。
【００２１】
本発明の第８の態様に係るコンテンツ配信システムは、放送中又は過去に放送された複数のコンテンツの中から、所望のコンテンツの指定を受け付ける受付手段と、前記所望のコンテンツに関するチャンネル識別情報及び放送時刻情報を含む要求信号を送信する要求送信手段と、前記所望のコンテンツに関する前記要求信号を前記要求送信手段から受信する要求受信手段と、前記複数のコンテンツの各々に関する、アドレス情報とチャンネル識別情報及び放送時刻情報との対応関係を記述したデータテーブルを保持する保持手段と、前記データテーブルに基づいて、前記要求信号に含まれるチャンネル識別情報及び放送時刻情報に対応するアドレス情報を特定し、特定した当該アドレス情報を所定のコンテンツ受信装置に送信するアドレス送信手段と、前記アドレス情報を前記アドレス送信手段から受信するアドレス受信手段と、前記アドレス情報を所定のコンテンツ配信サーバに送信するアドレス送信手段と、前記アドレス情報に応答して前記コンテンツ配信サーバから送信された、前記所望のコンテンツに関する映像ストリームを受信する映像受信手段と、を備えることを特徴とするものである。
【００２２】
第８の態様に係るコンテンツ配信システムによれば、コンテンツ受信装置において、受付手段は、放送中又は過去に放送された複数のコンテンツの中から所望のコンテンツの指定を受け付け、要求送信手段は、その所望のコンテンツに関するチャンネル識別情報及び放送時刻情報を含む要求信号を送信する。要求受信手段は、その要求信号を受信し、アドレス送信手段は、保持手段が保持しているデータテーブルに基づいて、要求信号に含まれるチャンネル識別情報及び放送時刻情報に対応するアドレス情報を特定し、特定した当該アドレス情報をコンテンツ受信装置に送信する。放送中のコンテンツに関しては放送開始時刻が確定しており、過去に放送されたコンテンツに関しては放送開始時刻及び放送終了時刻が確定している。従って、チャンネル識別情報と放送時刻情報とを用いることによって、放送中又は過去に放送された複数のコンテンツの各々を一意に識別することが可能となる。
【００２３】
本発明の第９の態様に係るプログラムは、コンテンツ受信装置に搭載されるコンピュータを、放送中又は過去に放送された複数のコンテンツの中から指定された所望のコンテンツに関するチャンネル識別情報及び放送時刻情報を含む要求信号に応答して前記コンテンツ管理装置から送信された、前記所望のコンテンツに関するアドレス情報を受信するアドレス受信手段と、前記アドレス情報を所定のコンテンツ配信サーバに送信するアドレス送信手段と、前記アドレス情報に応答して前記コンテンツ配信サーバから送信された、前記所望のコンテンツに関する映像ストリームを受信する映像受信手段と、として機能させるためのプログラムである。
【００２４】
第９の態様に係るプログラムによれば、放送中又は過去に放送された複数のコンテンツの中から所望のコンテンツの指定が受け付けられ、その所望のコンテンツに関するチャンネル識別情報及び放送時刻情報を含む要求信号が、所定のコンテンツ管理装置に送信される。放送中のコンテンツに関しては放送開始時刻が確定しており、過去に放送されたコンテンツに関しては放送開始時刻及び放送終了時刻が確定している。従って、チャンネル識別情報と放送時刻情報とを用いることによって、放送中又は過去に放送された複数のコンテンツの各々を一意に識別することが可能となる。
【００２５】
本発明の第１０の態様に係るプログラムは、コンテンツ管理装置に搭載されるコンピュータを、放送中又は過去に放送された複数のコンテンツの各々に関する、アドレス情報とチャンネル識別情報及び放送時刻情報との対応関係を記述したデータテーブルを保持する保持手段と、所望のコンテンツに関するチャンネル識別情報及び放送時刻情報を含む要求信号を受信する要求受信手段と、前記データテーブルに基づいて、前記要求信号に含まれるチャンネル識別情報及び放送時刻情報に対応するアドレス情報を特定し、特定した当該アドレス情報を所定のコンテンツ受信装置に送信するアドレス送信手段と、として機能させるためのプログラムである。
【００２６】
第１０の態様に係るプログラムによれば、保持手段は、放送中又は過去に放送された複数のコンテンツの各々に関する、アドレス情報とチャンネル識別情報及び放送時刻情報との対応関係を記述したデータテーブルを保持する。そして、要求受信手段は、所望のコンテンツに関するチャンネル識別情報及び放送時刻情報を含む要求信号を受信し、アドレス送信手段は、保持手段が保持しているデータテーブルに基づいて、要求信号に含まれるチャンネル識別情報及び放送時刻情報に対応するアドレス情報を特定し、特定した当該アドレス情報をコンテンツ受信装置に送信する。放送中のコンテンツに関しては放送開始時刻が確定しており、過去に放送されたコンテンツに関しては放送開始時刻及び放送終了時刻が確定している。従って、チャンネル識別情報と放送時刻情報とを用いることによって、放送中又は過去に放送された複数のコンテンツの各々を一意に識別することが可能となる。
【発明の効果】
【００２７】
本発明によれば、放送中又は過去に放送された複数のコンテンツを一意に識別することが可能となる。
【図面の簡単な説明】
【００２８】
【図１】本発明の実施の形態に係るコンテンツ配信システムの全体構成を示す図である。
【図２】コンテンツ受信装置のハードウェア構成を簡略化して示す図である。
【図３】プログラムを実行することによってデータ処理部に実現される機能の一部を示す図である。
【図４】コンテンツ管理装置のハードウェア構成を簡略化して示す図である。
【図５】プログラムを実行することによってデータ処理部に実現される機能の一部を示す図である。
【図６】表示制御部によって作成された電子番組表の一例を模式的に示す図である。
【発明を実施するための形態】
【００２９】
以下、本発明の実施の形態について、図面を用いて詳細に説明する。なお、異なる図面において同一の符号を付した要素は、同一又は相応する要素を示すものとする。
【００３０】
図１は、本発明の実施の形態に係るコンテンツ配信システム１の全体構成を示す図である。図１に示すようにコンテンツ配信システム１は、ユニキャスト配信サーバ２、マルチキャスト配信サーバ３、コンテンツ管理装置４、メタサーバ等の管理サーバ５、ＳＴＢ（Set Top Box）等のコンテンツ受信装置６、液晶ディスプレイ又はプラズマディスプレイ等の表示装置７、及びＩＰ（Internet Protocol）ネットワーク等の通信ネットワーク８を備えて構成されている。
【００３１】
現在放送中のコンテンツを表示装置７において再生する際の処理は以下のとおりである。マルチキャスト配信サーバ３は、地上デジタル放送やＢＳデジタル放送等の放送局から受信した全チャンネルのコンテンツの映像ストリームを、通信ネットワーク８に向けてマルチキャスト送信する。コンテンツ受信装置６は、ユーザによって指定された所望チャンネルのコンテンツの映像ストリームを通信ネットワーク８から受信し、当該映像ストリームに対してデコード等の処理を行うことにより、当該コンテンツを表示装置７において再生する。
【００３２】
本実施の形態に係る映像配信システム１では、放送中のコンテンツを放送開始後であっても先頭から再生することが可能であり、また、放送終了から所定期間（１週間、２週間、１ヶ月等）以内の過去のコンテンツを遡って再生することが可能である。このような態様の再生を、本明細書においては「遡及再生」と称する。放送される全てのコンテンツのうちどのコンテンツを遡及再生の対象とするかは、放送事業者が任意に決定することができる。但し、全てのコンテンツを遡及再生の対象としてもよい。
【００３３】
マルチキャスト配信サーバ３は、遡及再生の対象であるコンテンツの映像ストリームをユニキャスト配信サーバ２に送信し、ユニキャスト配信サーバ２はこれを蓄積する。ユニキャスト配信サーバ２は、ユーザが遡及再生を希望するコンテンツの映像ストリームを、通信ネットワーク８を介してコンテンツ受信装置６に向けてユニキャスト送信する。コンテンツ受信装置６は、受信した映像ストリームに対してデコード等の処理を行うことにより、当該コンテンツを表示装置７において遡及再生する。
【００３４】
図２は、コンテンツ受信装置６のハードウェア構成を簡略化して示す図である。図２に示すようにコンテンツ受信装置６は、通信ネットワーク８及び表示装置７等との間で通信を行う通信部１１と、ＣＰＵ（Central Processing Unit）等のデータ処理部１２と、半導体メモリ又はハードディスク等の記憶部１３とを備えて構成されている。記憶部１３には所定のプログラム１４が記憶されている。データ処理部１２は、記憶部１３からプログラム１４を読み出して実行する。
【００３５】
図３は、プログラム１４を実行することによってデータ処理部１２に実現される機能の一部を示す図である。図３に示すようにデータ処理部１２は、受付部２１、取得部２２、表示制御部２３、要求送信処理部２４、アドレス受信処理部２５、アドレス送信処理部２６、及び映像受信処理部２７を有している。
【００３６】
図４は、コンテンツ管理装置４のハードウェア構成を簡略化して示す図である。図４に示すようにコンテンツ管理装置４は、通信ネットワーク８との間で通信を行う通信部３１と、ＣＰＵ等のデータ処理部３２と、半導体メモリ又はハードディスク等の記憶部３３とを備えて構成されている。記憶部３３には所定のプログラム３４及びデータテーブル３５が記憶されている。データ処理部３２は、記憶部３３からプログラム３４を読み出して実行する。
【００３７】
図５は、プログラム３４を実行することによってデータ処理部３２に実現される機能の一部を示す図である。図５に示すようにデータ処理部３２は、要求受信処理部４１、保持部４２、及びアドレス送信処理部４３を有している。
【００３８】
以下、図１〜５を参照して、放送中又は過去に放送されたコンテンツを表示装置７において遡及再生する際の処理について説明する。
【００３９】
図３を参照して、取得部２２は、放送中又は過去に放送された複数のコンテンツの中から、遡及再生の対象である各コンテンツに関するチャンネル識別情報（service_id）、放送時刻情報（StartTime，EndTime）、及び番組識別情報（event_id）を、データＤ６として取得する。
【００４０】
取得部２２は、コンテンツ受信装置６が現在受信しているコンテンツに関するこれらの情報を、マルチキャスト配信サーバ３から受信した当該コンテンツの映像ストリームに含まれているＥＩＴ（Event Information Table）等のＳＩ（Service Information）から抽出することができる。本実施の形態に係るコンテンツ配信システム１において、ＥＩＴには、そのコンテンツが遡及再生の対象であるか否かを示す情報も含まれている。また、ある番組の放送時間が延長されたこと等によって以降の番組の放送時刻がずれた場合には、放送時刻情報には、ずれた後の実際の放送時刻に関する情報が記述されている。
【００４１】
また、取得部２２は、現在放送中であるがコンテンツ受信装置６が受信していないコンテンツ（いわゆる裏番組）に関するこれらの情報を、マルチキャスト配信サーバ３から受信したＳＩ専用ＴＳ（Transport Stream）に含まれている各コンテンツのＥＩＴ等から抽出することができる。ＳＩ専用ＴＳには、現在放送中の全チャンネルのコンテンツに関するＳＩが含まれている。
【００４２】
また、取得部２２は、これらの情報を管理サーバ５から取得することができる。マルチキャスト配信サーバ３は、遡及再生の対象である各コンテンツに関するチャンネル識別情報、放送時刻情報、及び番組識別情報を管理サーバ５に送信し、管理サーバ５はこれを管理している。
【００４３】
取得部２２は、取得したこれらの情報（データＤ６）を表示制御部２３に入力する。表示制御部２３は、データＤ６に基づいて、遡及再生の対象であるコンテンツに関する情報を含む電子番組表（ＥＰＧ：Electronic Program Guide）を作成する。当該電子番組表のデータＤ７は通信部１１から表示装置７に送信され、表示装置７において当該電子番組表が表示される。
【００４４】
図６は、表示制御部２３によって作成された電子番組表５０の一例を模式的に示す図である。この例では、現在時刻を１８時３０分として、１３時から翌日１時までの１２時間分の番組情報（タイトル、出演者等）が電子番組表５０に含まれている。電子番組表５０のうちハッチングを付した部分には該当コンテンツに関する番組情報が表示されており、ハッチングを付していない部分は空欄となっている。
【００４５】
現在放送中の６チャンネル分のコンテンツのうち、コンテンツＰ１１〜Ｐ１４は、遡及再生の対象となっているコンテンツである。コンテンツＰ１１〜Ｐ１４に関する番組情報には、そのコンテンツが遡及再生の対象であることを示す特定のマーク（図示しない）が表示される。また、現在放送中の番組より前に放送されたコンテンツ（つまり過去に放送されたコンテンツ）のうち、コンテンツＰ０１〜Ｐ０９は、遡及再生の対象となっているコンテンツである。コンテンツＰ０１〜Ｐ０９に関する番組情報には上記特定のマークが表示され、また、遡及再生の対象でないその他のコンテンツは空欄となっている。ユーザは、コンテンツ受信装置６のリモコンを操作すること等によって、所望のコンテンツＰ０１〜Ｐ１４の遡及再生の実行を指定することができる。なお、電子番組表５０をスクロールすることにより、さらに過去の期間に関しても、遡及再生を実行するコンテンツを指定することができる。
【００４６】
図３を参照して、遡及再生を実行するコンテンツの指定は、データＤ１として通信部１１から受付部２１に入力される。受付部２１はデータＤ１を受け付け、そのデータＤ１を要求送信処理部２４に入力する。
【００４７】
要求送信処理部２４は、データＤ１，Ｄ６に基づいて、遡及再生の実行が指定されたコンテンツに関するチャンネル識別情報、放送時刻情報、及び番組識別情報を含むアドレス要求信号を作成する。そして、作成したアドレス要求信号を、データＤ２として通信部１１からコンテンツ管理装置４に向けて送信する。
【００４８】
図５を参照して、コンテンツ受信装置６から送信されたアドレス要求信号（データＤ２）は、通信部３１を介して要求受信処理部４１によって受信される。要求受信処理部４１は、当該アドレス要求信号をアドレス送信処理部４３に入力する。
【００４９】
保持部４２は、記憶部３３に記憶されているデータテーブル３５を保持している。データテーブル３５には、遡及再生の対象である各コンテンツに関して、チャンネル識別情報、放送時刻情報、及び番組識別情報と、ユニキャスト配信サーバ２におけるユニキャストアドレスとの対応関係が記述されている。コンテンツ管理装置４は、マルチキャスト配信サーバ３及びユニキャスト配信サーバ２から必要な情報を受信することにより、データテーブル３５を作成及び保持する。
【００５０】
アドレス送信処理部４３は、要求受信処理部４１から入力されたアドレス要求信号に含まれているチャンネル識別情報、放送時刻情報、及び番組識別情報に対応するユニキャストアドレスを、保持部４２が保持しているデータテーブル３５から特定する。そして、特定したユニキャストアドレスを含む再生制御情報を作成して、その再生制御情報をデータＤ３として通信部３１からコンテンツ受信装置６に向けて送信する。
【００５１】
図３を参照して、コンテンツ管理装置４から送信された再生制御情報（データＤ３）は、通信部１１を介してアドレス受信処理部２５によって受信される。アドレス受信処理部２５は、当該再生制御情報をアドレス送信処理部２６に入力する。
【００５２】
アドレス送信処理部２６は、再生制御情報からユニキャストアドレスを抽出し、抽出したユニキャストアドレスを含む映像要求信号を作成する。そして、作成した映像要求信号をデータＤ４として通信部１１からユニキャスト配信サーバ２に向けて送信する。
【００５３】
図１を参照して、ユニキャスト配信サーバ２は、コンテンツ受信装置６から送信された映像要求信号（データＤ４）を受信し、当該映像要求信号からユニキャストアドレスを抽出する。そして、抽出したユニキャストアドレスに対応する映像ストリームを、データＤ５としてコンテンツ受信装置６に向けてユニキャスト送信する。
【００５４】
図３を参照して、ユニキャスト配信サーバ２から送信された映像ストリーム（データＤ５）は、通信部１１を介して映像受信処理部２７によって受信される。映像受信処理部２７は、受信した映像ストリームに対してデコード等の処理を行うことにより、表示装置７においてコンテンツをその先頭から再生（遡及再生）する。
【００５５】
このように本実施の形態に係るコンテンツ受信装置６によれば、受付部２１（受付手段）は、放送中又は過去に放送された複数のコンテンツの中から所望のコンテンツの指定を受け付ける。また、要求送信処理部２４（要求送信手段）は、その所望のコンテンツに関するチャンネル識別情報及び放送時刻情報を含むアドレス要求信号（データＤ２）を、コンテンツ管理装置４に向けて送信する。放送中のコンテンツに関しては放送開始時刻が確定しており、過去に放送されたコンテンツに関しては放送開始時刻及び放送終了時刻が確定している。従って、チャンネル識別情報と放送時刻情報とを用いることによって、放送中又は過去に放送された複数のコンテンツの各々を一意に識別することが可能となる。
【００５６】
また、本実施の形態に係るコンテンツ受信装置６によれば、アドレス要求信号には、所望のコンテンツに関するチャンネル識別情報及び放送時刻情報に加えて、当該コンテンツに関する番組識別情報が含まれる。このようにチャンネル識別情報と放送時刻情報と番組識別情報とを用いることによって、放送中又は過去に放送された複数のコンテンツの各々を確実に一意に識別することが可能となる。
【００５７】
また、本実施の形態に係るコンテンツ受信装置６によれば、取得部２２（取得手段）は、遡及再生の対象である各コンテンツに関するチャンネル識別情報及び放送時刻情報を取得する。このように取得部２２がチャンネル識別情報及び放送時刻情報を取得することにより、要求送信処理部２４によってチャンネル識別情報及び放送時刻情報を含むアドレス要求信号を作成することが可能となる。
【００５８】
また、本実施の形態に係るコンテンツ受信装置６によれば、取得部２２は、遡及再生の対象である各コンテンツに関するチャンネル識別情報及び放送時刻情報を、ＳＩ専用ＴＳから取得する。ＳＩ専用ＴＳには、視聴中のコンテンツに関するチャンネル識別情報及び放送時刻情報のみならず、視聴していない他のコンテンツに関するチャンネル識別情報及び放送時刻情報も含まれている。従って、これらの情報をＳＩ専用ＴＳから取得することにより、放送中又は過去に放送された全チャンネルのコンテンツに関するチャンネル識別情報及び放送時刻情報を取得することが可能となる。
【００５９】
また、本実施の形態に係るコンテンツ受信装置６によれば、取得部２２は、遡及再生の対象である各コンテンツに関するチャンネル識別情報及び放送時刻情報を、管理サーバ５から取得する。従って、コンテンツ受信装置６の電源が長期間オフされていたことにより、その期間内におけるチャンネル識別情報及び放送時刻情報をＳＩ専用ＴＳから取得できていない場合等であっても、これらの情報を管理サーバ５から取得することが可能となる。
【００６０】
また、本実施の形態に係るコンテンツ受信装置６によれば、表示制御部２３（表示手段）は、放送中又は過去に放送された複数のコンテンツのうち遡及再生の実行を指定可能なコンテンツの一覧を電子番組表５０の形式で表示装置７に表示する。従って、コンテンツの指定に伴うユーザの利便性を向上することが可能となる。
【００６１】
また、本実施の形態に係るコンテンツ管理装置４によれば、保持部４２（保持手段）は、遡及再生の対象である各コンテンツに関する、アドレス情報とチャンネル識別情報及び放送時刻情報との対応関係を記述したデータテーブル３５を保持する。また、要求受信処理部４１（要求受信手段）は、コンテンツ受信装置６から送信された、所望のコンテンツに関するチャンネル識別情報及び放送時刻情報を含むアドレス要求信号（データＤ２）を受信する。そして、アドレス送信処理部４３（アドレス送信手段）は、保持部４２が保持しているデータテーブル３５に基づいて、アドレス要求信号に含まれるチャンネル識別情報及び放送時刻情報に対応するユニキャストアドレスを特定し、特定したユニキャストアドレスを含む再生制御情報（データＤ３）をコンテンツ受信装置６に向けて送信する。放送中のコンテンツに関しては放送開始時刻が確定しており、過去に放送されたコンテンツに関しては放送開始時刻及び放送終了時刻が確定している。従って、チャンネル識別情報と放送時刻情報とを用いることによって、放送中又は過去に放送された複数のコンテンツの各々を一意に識別することが可能となる。
【００６２】
なお、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【００６３】
１  コンテンツ配信システム
２  ユニキャスト配信サーバ
３  マルチキャスト配信サーバ
４  コンテンツ管理装置
５  管理サーバ
６  コンテンツ受信装置
１４，３４  プログラム
２１  受付部
２２  取得部
２３  表示制御部
２４  要求送信処理部
２５  アドレス受信処理部
２６，４３  アドレス送信処理部
２７  映像受信処理部
４１  要求受信処理部
４２  保持部
【図１】
2012249230.tif 000003
【図２】
2012249230.tif 000004
【図３】
2012249230.tif 000005
【図４】
2012249230.tif 000006
【図５】
2012249230.tif 000007
【図６】
2012249230.tif 000008